(57)【要約】【課題】被処理製品を扉より投入時や、ショットブラスト処理中および被処理製品をドラムから取出す時に、扉が作業者側に開かないようにし、作業性を向上することのできる、ドラム式ショットブラスト装置の機構を提供する。【解決手段】チェーン状をなし片側はドラムの外周部に固定されもう片側はフックとなっているフックチェーンとフックチェーンのフックを掛けるために扉面および固定ブラケットに設置されたフック掛けリングからなるチェーンストッパ機構が設置されている。【選択図】        図２
2011056625.tif 000002
【特許請求の範囲】
【請求項１】
ドラム内に金属製品を攪拌しながら加速した投射材によって金属製品を処理するショットブラスト装置において、小円筒と大円筒の二重の円筒形をなすドラムであって、小円筒の内部では被処理製品を収容でき小円筒の円筒面に被処理製品は通らず投射材および被処理製品から落ちた研掃カスを通す径をなす複数の穴があけられ、かつ、被処理製品を攪拌する為の攪拌リードが内周側に設置され、大円筒には内周にネジ状の投射材回収リードが配置され外周側には逆転防止用のドグが配置され円筒軸を中心に回転可能なドラムと、
該ドラムに被処理製品を搬入および搬出するために設けられ丁番にて該ドラムと連接され開閉することにより該ドラムを開放および密閉することが可能な扉と、
前記ドラムの下方にあり前記ドラムを定位置に止めるストッパーとからなるドラム逆転防止機構と、
前記ドラムの背面に配置され該ドラムの内面に向かって投射材を加速することができる遠心式投射装置と、
前記ドラムの背面側の外周上に複数配置されたバケットと、
該バケットから供給される再使用可能な投射材、砕けた投射材および砂塵を空気流により、砕けた投射材、砂塵を分離・除去するセパレータを有し、
チェーン状をなし片側は該ドラムの外周部に固定されもう片側はフックとなっているフックチェーンと、該フックチェーンのフックを掛けるために扉面および固定ブラケットに設置されたフック掛けリングからなるチェーンストッパ機構と、
が設けられていることを特徴とするショットブラスト装置。
【請求項２】
前記ドラムが前記扉の開閉の可能なドラム定位置にあることを検知するドラム定位置センサが設置されている請求項１に記載のショットブラスト装置。
【請求項３】
請求項１又は２に記載のショットブラスト装置の全体を囲み、前記扉の開閉範囲に開口できるようなカバー扉と、運転中に該カバー扉が開かない様、電気的な信号によって施錠・開錠ができる自動施錠装置とが設けられたフェンス状の安全カバーが設置されているショットブラスト装置。
【発明の詳細な説明】
【技術分野】
【０００１】
本発明は、鋳鉄、鋳鋼、鍛造品などの金属製品をドラム内で撹拌しながら加速した投射材によって金属製品に付着した砂や酸化スケールを除去するショットブラスト装置に関する。
【背景技術】
【０００２】
従来、鋳鉄、鋳鋼、鍛造品などの金属製品に付着する砂や酸化スケールをドラム内で撹拌しながら加速した投射材によって除去するいわゆるドラム式ショットブラスト装置は、公知である（特許文献１）。特許文献１では、被処理製品をドラム式ショットブラスト装置に投入する際、扉を手動ハンドルにて開けて被処理製品を投入しショットブラスト処理をして、処理終了後に手動ハンドルにて扉を開けて処理製品を取出している。
【０００３】
しかしながら、上記の装置では扉が手動ハンドルだけで固定されている為、ショットブラスト処理中に扉のハンドルが弛んで扉が開いてしまい、場合によっては、最悪、扉が作業者側に開いてしまい、被処理製品の散乱や高速に加速された投射材が飛散してしまうこともあった。
【０００４】
また、被処理製品をドラム式ショットブラスト装置に投入する際や、ショットブラスト処理終了後に処理製品を取出す際に、ドラムの位置が定位置でない場合、扉を開けた時、重心が移動してしまうためドラムが回転し、場合によっては扉が作業者側に倒れてしまう可能性がある。
【先行技術文献】
【特許文献】
【０００５】
【特許文献１】特公昭２８−５５９６号公報
【発明の概要】
【発明が解決しようとする課題】
【０００６】
本発明は、上記の問題を解決するためになされたもので、鋳鉄、鋳鋼、鍛造品などの金属製品に付着する砂や酸化スケールを除去するショットブラスト装置であって、被処理製品を扉より投入時や、ショットブラスト処理中および被処理製品をドラムから取出す時に、扉が作業者側に開かないようにし、作業性を向上することのできる、ドラム式ショットブラスト装置を提供することを目的とする。
【課題を解決するための手段】
【０００７】
上記の目的を達成するために本発明におけるショットブラスト装置は、
ドラム内に金属製品を攪拌しながら加速した投射材によって金属製品を処理するショットブラスト装置において、小円筒と大円筒の二重の円筒形をなすドラムであって、小円筒の内部では被処理製品を収容でき小円筒の円筒面に被処理製品は通らず投射材および被処理製品から落ちた研掃カスを通す径をなす複数の穴があけられ、かつ、被処理製品を攪拌する為の攪拌リードが内周側に設置され、大円筒には内周にネジ状の投射材回収リードが配置され外周側には逆転防止用のドグが配置され円筒軸を中心に回転可能なドラムと、
該ドラムに被処理製品を搬入および搬出するために設けられ丁番にて該ドラムと連接され開閉することにより該ドラムを開放および密閉することが可能な扉と、
前記ドラムの下方にあり前記ドラムを定位置に止めるストッパーとからなるドラム逆転防止機構と、
前記ドラムの背面に配置され該ドラムの内面に向かって投射材を加速することができる遠心式投射装置と、
前記ドラムの背面側の外周上に複数配置されたバケットと、
該バケットから供給される再使用可能な投射材、砕けた投射材および砂塵を空気流により、砕けた投射材、砂塵を分離・除去するセパレータを有し、
チェーン状をなし片側は該ドラムの外周部に固定されもう片側はフックとなっているフックチェーンと、該フックチェーンのフックを掛けるために扉面および固定ブラケットに設置されたフック掛けリングからなるチェーンストッパ機構と、
が設けられていることを特徴とする。
【０００８】
さらに、本発明のショットブラスト装置は、前記ドラムが前記扉の開閉の可能なドラム定位置にあることを検知するドラム定位置センサが設置されていることを特徴とする。
【０００９】
また、本発明のショットブラスト装置は、前記ショットブラスト装置の全体を囲み、前記扉の開閉範囲に開口できるようなカバー扉と、運転中に該カバー扉が開かない様、電気的な信号によって施錠・開錠ができる自動施錠装置とが設けられたフェンス状の安全カバーが設置されていることを特徴とする。
【発明の効果】
【００１０】
本発明によれば、被処理製品を扉より投入時や、ショットブラスト処理中および被処理製品をドラムから取出す時に、扉が作業者側に開かないようにし、作業性を向上することのできる、ショットブラスト装置を提供することができる。
【図面の簡単な説明】
【００１１】
【図１】本発明にかかるショットブラスト装置の全体図である。
【図２】本発明にかかるショットブラスト装置の正面図である。
【図３】本発明にかかるショットブラスト装置の平面図である。
【図４】本発明にかかるショットブラスト装置の背面斜視図である。
【図５】本発明にかかるショットブラスト方法の工程ブロック図である。
【発明を実施するための形態】
【００１２】
以下、本発明を実施するための最良の形態を説明する。
図１、２、３に示すように本発明のショットブラスト装置は、ドラム内に金属製品を攪拌しながら加速した投射材によって金属製品を処理するショットブラスト装置において、小円筒と大円筒の二重の円筒形をなすドラムであって、小円筒の内部では被処理製品Ｗを収容でき小円筒の円筒面に被処理製品Ｗは通らず投射材および被処理製品Ｗから落ちた研掃カスを通す径をなす複数の穴１１があけられ、かつ、被処理製品Ｗを攪拌する為の攪拌リード１２が内周側に設置され、大円筒には内周にネジ状の投射材回収リード１３が配置され外周側には逆転防止用のドグ１４が配置され円筒軸を中心に回転可能なドラム１が円筒軸を水平にして設置されている。
ここで通常、ドラム１は一定方向にしか駆動されないようになっており、攪拌リード１２はドラム１の回転により被処理製品Ｗが扉２側に押し出されるように配置されている。また投射材回収リード１３は遠心式投射装置４側に押し流されるようにネジ状に配置されている。
ドラム１の円筒端面に被処理製品Ｗを搬入および搬出するため、丁番にてドラム１と連接され開閉することによりドラム１を開放および密閉でき、ドラム１の回転に伴って回転する扉２が配置されている。
【００１３】
またドラム１下方には、扉２が開閉可能な位置であるドラム定位置にドラム１が位置したときに逆転を防止するためのストッパー３１からなるドラム逆転防止機構３が配置されている。ドラム逆転防止機構３はドラム定位置においてストッパー３１と前記ドグ１４が噛み合わさりドラム１が逆転できない機構となっている。
【００１４】
またドラム１の背面にドラム１の内面に向かって投射材を加速することができる遠心式投射装置４と遠心式投射装置４の投射範囲を制限する制限ライナ４１および円錐面状の円錐ライナ４２が設置され、円錐ライナ４２の外径はドラム１の内周面まで伸びており、被処理製品Ｗがドラム１からこぼれ落ちない構造となっている。
【００１５】
またドラム１の背面側の外周上には等間隔にバケット５が複数配置されており、投射材回収リード１３によって遠心式投射装置４側に押し流された投射材を、バケット５によりすくい上げ、遠心式投射装置４の上部まで持ち上げられた後、遠心式投射装置の上部に配置されたシュート４３へと投射材を投げ出す。
シュート４３の下部にはバケット５から供給される再使用可能な投射材、砕けた投射材および砂塵を空気流により砕けた投射材、砂塵を分離・除去するセパレータ６が配置され、分離された砕けた投射材および砂塵はダクトにより接続される集じん機へ回収され、分離清浄された再使用可能な投射材は、セパレータ６からセパレータ６の下部と遠心式投射装置４を連通する導入管４４を通じて再び遠心式投射装置４へと供給される。
【００１６】
また、チェーンストッパ機構８として、チェーン状をなし片側はドラム１の外周部に固定されもう片側はフック７１となっているフックチェーン７と、フックチェーン７のフック７１を掛けるために扉面および固定ブラケット７２に設置されたフック掛けリング７３・７４が設けられている。
ここで、運転中はフック７１が扉面のフック掛けリング７３に掛けられてドラム１が回転している間に扉２が開かないようになっており、運転が終了しドラム１が定位置となった場合にはフック７１が固定ブラケット７２のフック掛けリング７４に掛けられてドラム１が回転しないようになっている。
【００１７】
また、本構成のショットブラスト装置は、ドラム１が扉２の開閉の可能な位置であるドラム定位置２１にあることを検知するドラム定位置センサ２２が設置されており、運転終了時にドラム１が定位置でない場合には扉２の開閉ができないことを表示し、作業者に認識できるような機構を合わせ持っている。
【００１８】
また、本構成のショットブラスト装置は、装置全体を囲むようにフェンス状の安全カバー９が設置され、安全カバー９には扉２の開閉範囲に開口できるようなカバー扉９１と、運転中にカバー扉９１が開かない様、電気的な信号によって施錠・開錠ができる自動施錠装置９２とからなっている。
ここで、運転前にカバー扉９１が閉まった状態でないことを自動施錠装置９２によって検出した場合は、ショットブラスト装置は自動運転が起動できないようになっている。また、運転終了後にドラム１がドラム定位置２１にないことをドラム定位置センサ２２によって検出された場合は、自動施錠装置９２がカバー扉９１を開錠しない動作をする。
【００１９】
以下、これらの構成を用いた場合の一連の動作を説明する。
まず、被処理製品搬入工程として、ドラム１が定位置にある状態で安全カバー９のカバー扉９１を開き、ついで扉２を開く。ドラム１が開放された状態でドラム１へ被処理製品Ｗを投入する。被処理製品Ｗの搬入が完了したのち、扉２を閉じてドラム１を密閉する。次いでチェーンストッパ機構８のフック７１を扉面のフック掛けリング７３に掛けてドラム１が回転している間に扉２が開かないようにしたのち、安全カバー９のカバー扉９１を閉じる。次にショットブラスト装置起動の準備として、カバー扉９１は自動施錠装置９２によって施錠され、自動起動ボタンの押下によって起動する。
【００２０】
被処理製品Ｗを内包したドラム１は回転し、被処理製品Ｗが攪拌された状態で遠心式投射装置４から投射材が高速に加速され被処理製品へ打ち当てられ、ショットブラスト処理される。
【００２１】
ショットブラスト処理は、あらかじめタイマーへ設定した処理時間動作した後、遠心式投射装置４が停止し、ドラム１のみ回転する。遠心式投射装置４が停止しドラム１のみが回転する時間は、遠心投射装置静止待ち時間としてあらかじめタイマーへ設定しておく。この遠心投射装置静止待ち時間は遠心投射装置４の惰性回転が停止するのを待つこととドラム１内にある被処理製品Ｗと混在した投射材をドラム１から抜くことを目的としている。
また、遠心投射装置静止待ち時間が、おおよそドラム１の容積の３倍の容積が集じん機によって換気できる投射材排出時間であればキャビネット内の粉じん濃度が外気と同等な状態まで減少するのでなお良い。
【００２２】
次いで遠心投射装置静止待ち時間がタイムアップするとドラム１はドラム定位置センサ２２によってドラム定位置２１が検出されるまで回転し、停止する。
ドラム定位置センサ２２で検出されドラム１がドラム定位置２１で停止した時、ストッパー３１は、ドラム１の側面に配置されたドグ１４と噛み合わさり、逆転しないような状態となる。
【００２３】
ドラム１が定位置となった状態で、安全カバー９のカバー扉９１は自動施錠装置９２によって開錠され、カバー扉９１を開くことができる。ついでチェーンストッパ機構８のフック７１を固定ブラケット７２のフック掛けリング７４に掛けてドラム１が回転しないようにした後、扉２を開いて処理された被処理製品Ｗを搬出することができる。
【００２４】
上記の説明から明らかなように、本構成では、ショットブラスト処理中に扉２が開いて被処理製品Ｗの散乱や高速に加速された投射材の飛散することがなくなり、また、被処理製品をショットブラスト装置に投入する際や、ショットブラスト処理終了後処理製品を取出す際に、ドラム１が定位置になく、扉２を開けた時に重心が移動してドラム１が回転して扉２が作業者側に倒れてしまうことがなくなり、作業性を向上することができる。
【００２５】
また、投射材排出工程では投射工程が完了したのち扉を密閉させたまま実施するため、投射工程でキャビネット内に発生した粉じんを投射材排出工程に集じんすることができドラム１の中はクリーンな状態となるため、投射材排出工程後の扉開放工程で扉を開放した時にドラムの外部に粉じんの流出量を大幅に減らすことができるという効果ももたらす。
【符号の説明】
【００２６】
１  ドラム
２  扉
３  ドラム逆転防止機構
４  遠心式投射装置  
５  バケット
６  セパレータ
７  フックチェーン
８  チェーンストッパ機構
９  安全カバー
１１  穴
１２  攪拌リード
１３  投射材回収リード
１４  ドグ
２２  ドラム定位置センサ
３１  ストッパー
７１  フック
７２  固定ブラケット
７３・７４  フック掛けリング
９１  カバー扉
９２  自動施錠装置
【図１】
2011056625.tif 000003
【図２】
2011056625.tif 000004
【図３】
2011056625.tif 000005
【図４】
2011056625.tif 000006
【図５】
2011056625.tif 000007